(57)【要約】【課題】マスク開孔に起因する光あるいは電子ビームの遮蔽量および反射量を低減し、画像品位の向上したカラー陰極線管を提供することにある。【解決手段】カラー陰極線管のシャドウマスク７は、蛍光体スクリーン全域に対応する複数の電子ビーム通過孔１２が形成された主マスク１４と、短軸を含む領域で主マスクの蛍光体スクリーン側に重ねて固定され補助マスク２０とを備えている。補助マスクは、蛍光体スクリーンの一部に対応する複数の電子ビーム通過孔４２を有している。補助マスクの短軸Ｙ方向に隣合う電子ビーム通過孔間の短軸Ｙ方向に沿った間隔Ｐ２は、対応する主マスクの電子ビーム通過孔間の短軸Ｙ方向に沿った間隔Ｐ１よりも大きく形成されている。【選択図】    図６
2004342560.tif 000002
【特許請求の範囲】
【請求項１】
内面に蛍光体スクリーンが設けられたパネルと、
上記蛍光体スクリーンに向かって電子ビームを放出する電子銃と、
上記パネルの内側に上記蛍光体スクリーンに対向して配置され、互いに直交しているとともに管軸と直交した長軸および短軸を備えたほぼ矩形状のシャドウマスクと、を備え、
上記シャドウマスクは、上記蛍光体スクリーン全域に対応する複数の電子ビーム通過孔が形成された主マスクと、上記短軸を含む領域で上記主マスクの上記蛍光体スクリーン側に重ねて固定され、上記蛍光体スクリーンの一部に対応する複数の電子ビーム通過孔を有した補助マスクと、を具備し、
上記補助マスクの上記短軸方向に隣合う電子ビーム通過孔間の上記短軸方向に沿った間隔は、対応する上記主マスクの上記電子ビーム通過孔間の上記短軸方向に沿った間隔よりも大きいことを特徴とするカラー陰極線管。
【請求項２】
上記補助マスクの電子ビーム通過孔の上記短軸方向に沿った間隔と、上記主マスクの対応する電子ビーム通過孔の上記短軸方向に沿った間隔との差は、上記補助マスクの中心部から上記短軸周辺方向に向かって徐々に増加していることを特徴とする請求項１に記載のカラー陰極線管。
【請求項３】
上記補助マスクの電子ビーム通過孔の上記短軸方向に沿った間隔と、上記主マスクの対応する電子ビーム通過孔の上記短軸方向に沿った間隔との差をＣ、上記補助マスクの中心部から上記短軸方向に離間した位置までの距離をｙとし、ａを正の定数とすると、
Ｃ＝ａ×ｙ
の関係を満たしていることを特徴とする請求項１又は２に記載のカラー陰極線管。
【請求項４】
上記主マスクの各電子ビーム通過孔は、上記蛍光体スクリーン側に開口した大孔と上記電子銃側に開口した小孔とを連通して構成され、上記補助マスクの各電子ビーム通過孔は、上記蛍光体スクリーン側に開口した大孔と上記電子銃側に開口した小孔とを連通して構成され、
上記シャドウマスクの上記短軸方向周辺部において、上記主マスクの電子ビーム通過孔を構成する大孔は小孔に対し上記短軸方向周辺側へオフセットして設けられ、上記補助マスクの電子ビーム通過孔を構成する大孔は小孔に対し上記短軸方向周辺側へオフセットして設けられていることを特徴とする請求項１ないし３のいずれか１項に記載のカラー陰極線管。
【請求項５】
上記パネルは、曲率半径が１０，０００ｍｍ以上の外面を有していることを特徴とする請求項１ないし４のいずれか１項に記載のカラー陰極線管。
【発明の詳細な説明】
【０００１】
【発明の属する技術分野】
この発明は、シャドウマスクを備えたカラー陰極線管に関する。
【０００２】
【従来の技術】
一般に、カラー陰極線管は、ほぼ矩形状の有効部を有したパネルと、このパネルに連接されたファンネルと、ファンネルの小径部に連接された円筒状のネックとからなる真空外囲器を備えている。パネルの有効部内面には、青、緑、赤に発光するドット状またはストライプ状の３色蛍光体層、および遮光層からなる蛍光体スクリーンが形成されている。また、真空外囲器内には、この蛍光体スクリーンに対向してシャドウマスクが配置されている。ネック内には、３電子ビームを放出する電子銃が配設されているとともに、ネック外周からファンネルの外周面にかけて偏向ヨークが装着されている。
【０００３】
この様なカラー陰極線管において、シャドウマスクは蛍光体スクリーンに対向したほぼ矩形状の有効面を有し、この有効面には、電子銃から放出された電子ビームを選別する電子ビーム通過孔として多数の開孔が形成されている。これらの開孔は、有効面の長軸方向を幅方向とするほぼ矩形状に形成されている。また、複数個の開孔が有効面の短軸方向にブリッジを介して直線状に配置され、この直線状に配置された複数個の開孔からなる開孔列が長軸方向に所定の配列ピッチで複数列配置されている。開孔列の間隔は画面長軸方向に対して徐々に大きくなっている。
【０００４】
シャドウマスクの開孔形状には、大別して円形状と矩形状の２種類がある。文字や図形を表示するディスプレイ管では、主として円形状の開孔を有するシャドウマスクが用いられ、一般家庭で用いられる民生用カラー受像管では、主として矩形状の開孔を有したシャドウマスクが用いられている。いずれの場合も、基本的に、各開孔は、シャドウマスクの蛍光体スクリーンと対向する面に開口した大孔と電子銃と対向する面に開口した小孔とが連通した連通孔によって構成されている。
【０００５】
上記構成のカラー陰極線管では、電子銃から放出された３電子ビームを偏向ヨークの発生する水平、垂直偏向磁界により水平、垂直方向に偏向するとともに、シャドウマスクの開孔により電子ビームを選別し、蛍光体スクリーンの蛍光体層に入射させることにより、カラー画像を表示する。
【０００６】
近年、カラー陰極線管の高解像度化の要求が高まっており、シャドウマスクの高精細化、すなわち開孔および開孔配列ピッチの微小化が要求されている。この要求を満たそうとした場合、現状のシャドウマスク製造時のエッチング技術ではシャドウマスク板厚を薄くしなければならない。しかし、シャドウマスクの薄板化は、シャドウマスクの曲面保持力を低下させ、製造中及び輸送中に加わる外力によりマスク曲面が変形してしまう虞がある。
【０００７】
シャドウマスクが変形すると、電子ビーム通過孔の位置とパネル内面との距離関係が変化し、電子ビームが所定の蛍光体層にランディングせず色ずれを引き起こす。また、マスク強度の低下は、シャドウマスクを変形させないまでも、ＴＶセットなどに組みこんだ際、スピーカからの音声などの振動に対してシャドウマスクが共振し易くなる。そして、シャドウマスクが共振した場合、画面上に不要な明暗を映し出してしまう。
【０００８】
このような問題を解決する手段として、補助マスクによるシャドウマスクの曲面保持力向上の試みがなされている。例えば、特許文献１に開示されたカラー陰極線管によれば、シャドウマスクは多数の開孔が形成された主マスクを備え、この主マスクの短軸を含む領域に重ねて帯状の補助マスクが設けられている。補助マスクには、主マスクに対応した複数の開孔が形成されている。補助マスクを主マスクに固定することにより、高解像度化に伴うシャドウマスク曲面保持力の劣化を防ぐことができる。従って、外力によるマスク曲面の変形を防止し、色ずれを防ぐことができる。
【０００９】
【特許文献１】
特開２００２−１９７９８９号公報
【００１０】
【発明が解決しようとする課題】
上記構成のシャドウマスクにおいて、主マスクの開孔とそれに対応する補助マスクの開孔とが十分に合致していない場合、補助マスクによって主マスクの開孔が遮蔽されてしまう。そのため、カラー陰極線管の製造時、シャドウマスクを用いて形成される蛍光体スクリーンのサイズが不均一となり、また、カラー陰極線管の動作時には輝度の不均一を引き起こしてしまう。従って、主マスクの開孔とそれに対応する補助マスクの開孔とを十分に合致させる必要がある。実際には、製造によるばらつき等を考慮して、補助マスクの開孔はそれに対応する主マスクの開孔よりも大きく形成する必要がある。
【００１１】
一方、カラー陰極線管製造時における露光光源の光やカラー陰極線管動作時における電子ビームは、画面中央部を除き、シャドウマスクの開孔に対して斜め方向から入射する。そのため、上記光や電子ビームの一部はマスク開孔の内面により遮蔽あるいは反射される。そこで、一般に、マスク開孔において、電子銃側に開口した小孔に対し、蛍光体スクリーン側に開口した大孔をシャドウマスクの周辺方向にオフセンターさせることで、この現象を緩和している。
【００１２】
しかしながら、補助マスクを用いたカラー陰極線管の場合、補助マスクが主マスクに重畳された重畳部は、主マスクのみからなる非重畳部に比較して補助マスク分だけ厚くなっている。そのため、重畳部においては、開孔内面による遮蔽量や反射量が多くなってしまう。
【００１３】
これに対し、補助マスクの開孔をオフセンターさせることで遮蔽量や反射量を低減できることが予想されるが、シャドウマスク有効部の短軸方向において、ブリッジ部の幅が小さい場合、各開孔をオフセンターさせると隣り合う開孔同士が近接し、場合によっては貫通してしまう虞がある。また、上述したように、補助マスクの開孔は、製造のばらつき等を考慮に入れると、対応する主マスクの開孔よりも大きな径に形成する必要がある。そのため、補助マスクでは、ブリッジ部が主マスクのブリッジ部よりも小さくなり、開孔の充分なオフセンター量を確保することが困難となる。
【００１４】
これらの理由から、補助マスクを用いたカラー陰極線管の場合、シャドウマスクの重畳部では、非重畳部に比較して露光光源の光や電子ビームの遮蔽量あるいは反射量が増加する。その結果、カラー陰極線管製造時における蛍光体スクリーンサイズの不均一やカラー陰極線管動作時における輝度の不均一等を引き起こし、画像品位が損なわれる。従って、補助マスクを備えたカラー陰極線管においても、更なる改良の余地がある。
【００１５】
本発明は上記問題点を解決するためのものであり、その目的は、マスク開孔に起因する光あるいは電子ビームの遮蔽および反射を低減し、画像品位の向上したカラー陰極線管を提供することにある。
【００１６】
【課題を解決するための手段】
上記目的を達成するため、この発明の態様に係るカラー陰極線管は、内面に蛍光体スクリーンが設けられたパネルと、上記蛍光体スクリーンに向かって電子ビームを放出する電子銃と、上記パネルの内側に上記蛍光体スクリーンに対向して配置され、互いに直交しているとともに管軸と直交した長軸および短軸を備えたほぼ矩形状のシャドウマスクと、を備え、
上記シャドウマスクは、上記蛍光体スクリーン全域に対応する複数の電子ビーム通過孔が形成された主マスクと、上記短軸を含む領域で上記主マスクの上記蛍光体スクリーン側に重ねて固定され、上記蛍光体スクリーンの一部に対応する複数の電子ビーム通過孔を有した補助マスクと、を具備し、上記補助マスクの上記短軸方向に隣合う電子ビーム通過孔間の上記短軸方向に沿った間隔は、対応する上記主マスクの上記電子ビーム通過孔間の上記短軸方向に沿った間隔よりも大きいことを特徴としている。
【００１７】
上記のように構成されたカラー陰極線管によれば、補助マスクを設けることにより、シャドウマスクの最も変形しやすい画面中央近傍の変形を抑制することが可能となり、結果的にマスク曲面強度を向上させることができる。これにより、シャドウマスクの変形や、振動による画像の劣化を防止し、画像品位の向上を図ることができる。
【００１８】
そして、主マスクに補助マスクを重ねることによって強度を向上させながらも、補助マスクによる露光光源の光や電子ビームの遮蔽、反射を低減し、カラー陰極線管製造時における蛍光体スクリーンサイズの不均一やカラー陰極線管動作時における画面輝度の不均一等を改善することができる。それにより、良好な画面品位を有したカラー陰極線管が得られる。
【００１９】
【発明の実施の形態】
以下図面を参照しながら、この発明の実施の形態に係るカラー陰極線管について詳細に説明する。
図１および図２に示すように、カラー陰極線管はガラスで形成された外囲器９を備え、この外囲器は、周縁部にスカート部２を有した矩形状のパネル１と、パネル１のスカート部２に接合されたファンネル３と、ファンネル３の小径部から伸びたネック４とを有している。パネル１の内面には蛍光体スクリーン５が形成されている。蛍光体スクリーン５は、ドット状あるいはストライプ状の３色の蛍光体層、および蛍光体層の間を埋めた遮光層により構成されている。
【００２０】
外囲器９は、パネル１の中心およびネック４の中心を通る管軸Ｚ、管軸と直交して延びた長軸（水平軸）Ｘ、並びに、管軸および長軸と直交して延びた短軸（垂直軸）Ｙを有している。
【００２１】
画面アスペクト比１６対９で画面有効径７６ｃｍの３２インチワイドタイプのカラー陰極線管を一例とした場合、パネル１の外面は、曲率半径が１０，０００ｍｍと実質的に平坦となっている。また、パネル１内面は、Ｘ軸上でＸ軸に沿った曲率半径が約７，０００ｍｍ、Ｙ軸上でＹ軸に沿った曲率半径が約１，５００ｍｍと円筒状になっている。
【００２２】
外囲器９内には、色選別電極であるシャドウマスク構体６が蛍光体スクリーン５に対向して配置されている。このシャドウマスク構体６は、電子ビーム通過孔として機能する開孔が多数形成されたシャドウマスク７と、シャドウマスク７の周辺部を支持した矩形枠状のマスクフレーム８と、を有している。このシャドウマスク構体６は、マスクフレーム８の側壁に設けられた弾性支持体３０をパネル１のスカート部２に立設されたスタッドピン３２に係止することで、パネル１の内側に支持されている。なお、シャドウマスク７に形成された電子ビーム通過孔の開孔形状は、用途に応じて矩形状または円形状に形成される。
【００２３】
ネック４内には長軸Ｘに沿ってインライン配列された３本の電子ビーム９Ｒ、９Ｇ、９Ｂを放出する電子銃１０が配置されている。そして、上記カラー陰極線管では、電子銃１０から放出された電子ビーム９Ｒ、９Ｇ、９Ｂをファンネル３の外側に取付けられた偏向ヨーク１１により偏向し、シャドウマスク構体６を介して、蛍光体スクリーン５を水平、垂直走査することで画像を表示する。
【００２４】
次に、シャドウマスク７の構成について詳細に説明する。図３ないし図５に示すように、シャドウマスク７は、全体としてほぼ矩形状に形成され、外囲器９に対応した長軸Ｘおよび短軸Ｙを有し、管軸Ｚはシャドウマスクの中心を通っている。また、シャドウマスク７は、主マスク１４と、この主マスクの一部に重複して取付けられた補助マスク２０と、を備え、部分的に２重構造に構成されている。
【００２５】
主マスク１４は、パネル１の内面と対向して配置されるとともに所定の曲面形状に形成されたほぼ矩形状のマスク主面４０と、マスク主面の周縁部を管軸Ｚ方向に沿って電子銃側に折り曲げて形成されたスカート部１７と、を一体に備えている。マスク主面４０は、電子ビーム通過孔として機能する多数の開孔１２が蛍光体スクリーン５の全域に対応して形成された矩形状の有効部１３と、有効部を囲んでいるとともに開孔を持たないほぼ矩形枠状の無孔部１６と、を有している。
【００２６】
主マスク１４の各開孔１２は、有効部１３の長軸Ｘ方向を幅方向とするほぼ矩形状に形成されている。そして、複数個の開孔１２が有効部１３の短軸Ｙ方向にブリッジ１５を介して直線状に配置され、ほぼ直線状に配置された複数の開孔からなる開孔列が、長軸Ｘ方向に所定の配列ピッチＰＨ１で多数列設けられている。主マスク１４としては、低膨張材として知られるアンバー材（Ｆｅ−３６％Ｎｉ合金）などの金属材料で、板厚０．１〜０．２５ｍｍ程度、例えば、板厚０．１８ｍｍに形成されている。
【００２７】
図３ないし図５に示すように、補助マスク２０は細長い帯状に形成され、主マスク１４の蛍光体スクリーン５側の表面上で、有効部１３の全域ではなく短軸Ｙを含む領域に重ねて固定されている。そして、補助マスク２０は、その長手方向が、主マスク１４の短軸Ｙと一致して設けられている。
【００２８】
補助マスク２０は、長軸Ｘ方向に沿った幅ＬＨ１が主マスク１４の有効部１３の長軸方向長ＬＨ２よりも小さく、また、短軸Ｙ方向に沿った長さは主マスク１４の同方向長さとほぼ等しく形成されている。補助マスク２０は、矩形状の有効部２１と、有効部２１の外側で補助マスクの長手方向両端部に位置した無孔部２３と、更に、各無孔部２３から両端方向へ延出した一対のスカート部２４と、を一体に備えている。有効部２１には、電子ビーム通過孔として機能する多数の開孔４２が蛍光体スクリーン５の一部に対応して形成されている。
【００２９】
補助マスク２０は、その有効部２１、無孔部２３、スカート部２４が主マスク１４の有効部１３、無孔部１６およびスカート部１７とそれぞれ重なった状態で主マスクに溶接されている。これにより、主マスク１４の短軸Ｙ上の領域は全て２重構造となっている。補助マスク２０は、主マスク１４と同じくアンバー材から構成され、板厚は０．１〜０．２５ｍｍ程度に形成されている。補助マスク２０の長軸Ｘ方向の幅ＬＨ１と、主マスク１４の長軸Ｘ方向の長さＬＨ３との比は、約１対５程度に形成されている。従って、主マスク１４の長軸Ｘ方向の長さの５分の１程度の領域に補助マスク２０が固定されている。
【００３０】
補助マスク２０の有効部２１に形成された開孔４２は、シャドウマスクとして機能する範囲で適宜設定可能であり、特に問題なければ、主マスク１４と同様に形成される。すなわち、補助マスク２０の各開孔４２は、有効部２１の長軸Ｘ方向を幅方向とするほぼ矩形状に形成されている。そして、複数個の開孔４２が有効部２１の短軸Ｙ方向にブリッジ４３を介して直線状に配置され、これら複数の開孔からなる開孔列が、長軸Ｘ方向に所定の配列ピッチＰＨ２で複数列設けられている。後述するように、補助マスク２０の短軸Ｙ方向に沿った開孔４２の配列ピッチＰ２は、主マスク１４の短軸Ｙ方向に沿った開孔１２の配列ピッチＰ１よりも大きく設定されている。
【００３１】
図３に示すように、主マスク１４のスカート部１７にはそれぞれ溶接部として機能する複数の舌片部が形成されている。すなわち、短軸Ｙとほぼ平行なスカート部１７の各短辺壁には舌片部３４ａが形成され長軸Ｘ上に位置している。また、長軸Ｘとほぼ平行に延びたスカート部１７の各長辺壁には舌片部３４ｂが形成され短軸Ｙ上に位置している。その他、スカート部１７の各コーナ部にも舌片部３４ｃが形成されている。
【００３２】
舌片部３４ａないし３４ｃの各々は、スカート部１７の延出端縁からマスク主面４０に向かって延びた複数、例えば一対のスリット３５によって形成され、弾性変形可能に形成されている。一方、マスクフレーム８は、主マスク１４のスカート部１７を囲むように、スカート部１７の外側に配置されている。そして、各舌片部３４ａないし３４ｃの自由端部近傍をマスクフレーム８の内面に溶接することにより、シャドウマスク７はマスクフレーム８に固定されている。舌片部３４ａないし３４ｃは、弾性変形することによりシャドウマスク７とマスクフレーム８との間の熱膨張率差を吸収する。
【００３３】
前述したように、補助マスク２０の各スカート部２４は、主マスク１４のスカート部１７と重なって設けられている。各スカート部２４にはそれぞれスリット３５と整列した一対のスリットが形成され、これらのスリット間に弾性変形可能な舌片部４１が規定されている。各舌片部４１は短軸Ｙ上に位置し、主マスク１４の舌片部３４ｂと重なっている。そして、補助マスク２０の各スカート部２４に形成された舌片部４１は、主マスク１４の舌片部３４ｂと一緒にマスクフレーム８に溶接されている。
【００３４】
次に、主マスク１４および補助マスク２０における開孔１２、４２の構成および配置関係について詳細に説明する。図３および図６（ａ）、６（ｂ）に示すように、主マスク１４の各開孔１２は、電子銃側の表面に開口した小孔１２ａおよび蛍光体スクリーン側の表面に開口した大孔１２ｂを連通した連通孔により構成されている。同様に、補助マスク２０の各開孔４２は、電子銃側の表面に開口した小孔４２ａおよび蛍光体スクリーン側の表面に開口した大孔４２ｂを連通した連通孔により構成されている。
【００３５】
図６（ａ）に示すように、画面の中央部に対応するシャドウマスク中央部において、露光光源の光や電子銃から放出された電子ビームは矢印のようにマスク平面に対しほぼ垂直に入射する。そのため、シャドウマスクの中央部において、主マスク１４の各開孔１２を構成した小孔１２ａおよび大孔１２ｂは、互いにオフセットすることなくほぼ同芯的に形成されている。
【００３６】
図６（ｂ）に示すように、シャドウマスクの短軸Ｙ方向周辺部において、露光光源の光や電子ビームは、矢印のようにマスク平面に対し斜め方向から入射する。そこで、主マスク１４の各開孔１２において、大孔１２ｂは小孔１２ａに対し、短軸Ｙ方向に沿ってシャドウマスクの周辺側へＣｍだけオフセットして形成されている。同様に、補助マスク２０の各開孔４２において、大孔４２ｂは小孔４２ａに対し、短軸Ｙ方向に沿ってシャドウマスクの周辺側へＣｓだけオフセットして形成されている。これにより、開孔１２および４２の内面による露光光源の光や電子ビームの遮蔽、反射を低減している。
【００３７】
更に、補助マスク２０の短軸Ｙ方向に沿った開孔４２の配列ピッチＰ２は、主マスク１４の短軸Ｙ方向に沿った開孔１２の配列ピッチＰ１よりも大きく設定されている。すなわち、補助マスク２０の短軸Ｙ方向に隣合う開孔４２間の短軸方向に沿った間隔Ｐ２は、対応する主マスク１４の開孔１２間の短軸Ｙ方向に沿った間隔Ｐ１よりも大きく形成されている。また、補助マスク２０の開孔４２の短軸方向に沿った間隔Ｐ２と、主マスク１４の対応する開孔１２の短軸Ｙ方向に沿った間隔Ｐ１との差Ｃは、補助マスクの中心部から短軸方向周辺側に向かって徐々に増加するように形成されている。
【００３８】
補助マスク２０の開孔４２の短軸Ｙ方向に沿った間隔Ｐ２と、主マスク１４の対応する開孔１２の短軸Ｙ方向に沿った間隔との差をＣ、補助マスクの中心部から短軸Ｙ方向に離間した位置までの距離をｙとし、ａを正の定数とすると、開孔１２および４２は、Ｃ＝ａ×ｙ  の関係を満たすように配列されている。ここで、定数ａは例えば１０−３ないし１０−４程度に設定されている。
【００３９】
間隔Ｐ１、Ｐ２の差Ｃが大きい場合、補助マスク２０のブリッジ４３が主マスク１４の開孔１２内へ突出し、光あるいは電子ビームの遮蔽量が増大する。そのため、上記差Ｃは、露光光源の光や電子ビームの遮蔽、反射量を考慮して最適に設計されている。
【００４０】
そして、上記のように間隔Ｐ１、Ｐ２に差Ｃを持たせることにより、主マスク１４における開孔１２のオフセンター量Ｃｍ、および補助マスク２０の開孔４２におけるオフセンター量Ｃｓの不足分を補うことができる。そのため、補助マスク２０の開孔４２内面による光や電子ビームの遮蔽、反射を防止し、カラー陰極線管製造時、蛍光体スクリーンを均一なサイズに形成することができるとともに、カラー受像管の動作時、表示画像の輝度の画面全域に渡って均一にすることが可能となる。
【００４１】
以上のように構成されたカラー陰極線管によれば、主マスク１４に補助マスク２０を重ねて固定し２重構造とすることにより、シャドウマスクの最も変形しやすい画面中央近傍の変形を抑制し、マスク曲面強度を向上させることができる。これにより、シャドウマスクの変形や、振動による画像の劣化を防止し、画像品位の向上したカラー陰極線管を得ることができる。
【００４２】
また、シャドウマスク有効部１３の短軸方向においては、主マスク１４の開孔間隔に対し、補助マスク２０の開孔間隔を大きくすることで、カラー陰極線管製造時に生じる蛍光体スクリーンサイズの不均一や、カラー陰極線管動作時における外面輝度の不均一等を防止することができ、一層良好な画面品位を得ることができる。
【００４３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、シャドウマスクの開孔は矩形状に限らず、円形としても有効に活用することができる。また、補助マスク２０はスカート部のない構造としてもよい。上述した実施の形態において、補助マスクは、主マスクの長軸方向中央領域に設ける構成としたが、これに限らず、長軸方向中間部、周辺部に設けた場合でも上記と同様の作用効果が得られる。また、補助マスクは１枚に限らず、２枚以上設けることも可能である。
【００４４】
【発明の効果】
以上詳述したように、本発明によれば、外力に対して十分なマスク曲面強度が高いとともに、マスク開孔に起因する光あるいは電子ビームの遮蔽量および反射量を低減することができ、画像品位の向上したカラー陰極線管を提供することができる。
【図面の簡単な説明】
【図１】この発明の実施の形態に係るカラー陰極線管の長軸を含む断面図。
【図２】上記カラー陰極線管の短軸を含む断面図。
【図３】上記カラー陰極線管におけるシャドウマスクを示す斜視図および電子ビーム通過孔を示す平面図。
【図４】図３に示すシャドウマスクの長軸方向に沿った断面図。
【図５】図３に示すシャドウマスクの短軸方向に沿った断面図。
【図６】上記シャドウマスクの中央部および短軸方向周辺部をそれぞれ示す短軸方向に沿った断面図。
【符号の説明】
１…パネル、  ５…蛍光体スクリーン、  ６…シャドウマスク構体、
７…シャドウマスク、  ８…マスクフレーム、
９Ｂ、９Ｇ、９Ｒ…電子ビーム、  １０…電子銃、  １４…主マスク、
２０…補助マスク、  １２、４２…開孔、  １３、２１…有効部、
１７、２４…スカート部
【図１】
2004342560.tif 000003
【図２】
2004342560.tif 000004
【図３】
2004342560.tif 000005
【図４】
2004342560.tif 000006
【図５】
2004342560.tif 000007
【図６】
2004342560.tif 000008